(57)【要約】【課題】引張り強度に優れることで意図しない開封を防止できるとともに、容易に開封することができ、さらに、青果物に必要な通気性を有する青果包装袋及び青果の使用方法を提供する。【解決手段】内容物を入れるための袋本体部１０と、前記袋本体部１０に設けられた孔２４の周辺の一部を残した繋ぎ部２１ａ、及び前記繋ぎ部２１ａによって前記袋本体部１０に接続された摘まみ部２２ａを備える開封用通気孔２０ａと、を備えることを特徴とする。さらに、青果包装袋の使用方法では、前記内容物を前記袋本体部１０に入れたときは、前記袋本体部１０が膨らむことによって前記摘まみ部２２ａが開いて通気性を有し、開封時は、前記摘まみ部２２ａを摘まんで引っ張ることによって前記袋本体部１０を引裂いて開封することを特徴とする。【選択図】図１
2019147595.tif 000002
【特許請求の範囲】
【請求項１】
内容物を入れるための袋本体部と、
前記袋本体部に設けられた孔の周辺の一部を残した繋ぎ部、及び前記繋ぎ部によって前記袋本体部に接続された摘まみ部を備える開封用通気孔と、
を備えることを特徴とする青果包装袋。
【請求項２】
前記袋本体部がポリプロピレンフィルムで構成され、前記ポリプロピレンフィルムの引裂きの方向性と、前記孔と前記繋ぎ部との方向が合っていることを特徴とする請求項１に記載の青果包装袋。
【請求項３】
前記開封用通気孔が複数隣接され、それぞれの前記摘まみ部が隣り合うとともに、前記繋ぎ部は互いに離れていることを特徴とする請求項１又は２に記載の青果包装袋。
【請求項４】
前記内容物がバナナであることを特徴とする請求項１ないし３のいずれか１項に記載の青果包装袋。
【請求項５】
請求項１ないし４のいずれか１項に記載の青果包装袋を用いて、
前記内容物を前記袋本体部に入れたときは、前記袋本体部が膨らむことによって前記摘まみ部が開いて通気性を有し、
開封時は、前記摘まみ部を摘まんで引っ張ることによって前記袋本体部を引裂いて開封することを特徴とする青果包装袋の使用方法。
【発明の詳細な説明】
【技術分野】
【０００１】
本発明は、青果物を入れて包装する青果包装袋、及び該青果包装袋の使用方法に関する。
【背景技術】
【０００２】
図６に示すように、従来、バナナの包装を消費者が開封しやすいようにするとともに、輸送時に振動や衝撃が与えられても破損しにくいバナナの包装用袋体を提供することを目的として、特開２０１２−２３６６４２号公報に、袋体１００の底辺から伸長する複数の孔又は切れ目を連続させた１本の線状の開封手段１０１を備えるバナナ包装用の袋体が開示されている。
【先行技術文献】
【特許文献】
【０００３】
【特許文献１】特開２０１２−２３６６４２号公報
【発明の概要】
【発明が解決しようとする課題】
【０００４】
しかし、特許文献１に開示されているバナナ包装用の袋体１００は、その開封手段１０１が袋体の端部より伸長されているため、当該部分において開封手段と直交する方向の引張り力（図６の矢印方向）が加わると、意図せずに開封されてしまうおそれがあった。特許文献１に記載の他の実施例では、袋体の底辺に平坦部やタブ部を設けるといった工夫は見られるものの、やはり開封手段が袋体の端部にあることから引張り力が加わりやすく、さらに、開封手段が１本の線状であることから、意図しない開封が発生するおそれは存在すると考えられる。また、上記の意図しない開封を防止するために、開封手段の強度を向上させると、腕力の弱い高齢者や幼児にとって開封しづらいものとなってしまう。
【０００５】
本発明は、上記の点に鑑みなされたもので、引張り強度に優れることで流通時等において意図しない開封を防止しながら、開封時は容易に開封することができ、さらに、包装に際して青果物に必要な通気性を有する青果包装袋及び、該青果包装袋を用いた使用方法を提供することを目的とする。
【課題を解決するための手段】
【０００６】
（１）本発明の青果包装袋は、
内容物を入れるための袋本体部と、
前記袋本体部に設けられた孔の周辺の一部を残した繋ぎ部、及び前記繋ぎ部によって前記袋本体部に接続された摘まみ部を備える開封用通気孔と、
を備えることを特徴とする。
【０００７】
本発明の青果包装袋によれば、袋本体部に開封用通気孔が備えられており、この開封用通気孔が繋ぎ部と摘まみ部とを備えている。このため、摘まみ部を摘まんで引っ張ることにより、容易に青果包装袋を開封することができる。また、摘まみ部は繋ぎ部によって袋本体部に接続されているため、袋本体部に青果物等の内容物が入れられて袋本体部が膨らむと、張力が袋本体部に加えられて摘まみ部が適度に開き、通気孔としての役目を有する。
【０００８】
（２）本発明の青果包装袋の好ましい例は、
前記袋本体部がポリプロピレンフィルムで構成され、前記ポリプロピレンフィルムの引裂きの方向性と、前記孔と前記繋ぎ部との方向が合っていることを特徴とする。
【０００９】
本発明の青果包装袋の好ましい例によれば、袋本体部を構成するポリプロピレンフィルムの引裂きの方向性と、開封用通気孔の孔と繋ぎ部との方向が合っているため、摘まみ部を引っ張ったときに袋本体部が引っ張った方向に引裂かれ、より容易に開封することができる。
【００１０】
（３）本発明の青果包装袋の好ましい例は、
前記開封用通気孔が複数隣接され、それぞれの前記摘まみ部が隣り合うとともに、前記繋ぎ部は互いに離れていることを特徴とする。
【００１１】
本発明の青果包装袋の好ましい例によれば、開封用通気孔が複数隣接され、これらの開封用通気孔の向きが異なるため、複数の方向のうち任意の方向に青果包装袋を開封することができる。また、複数の開封用通気孔の集合体ができることで、開封の際に指を差し込みやすくなる。
【００１２】
（４）本発明の青果包装袋の好ましい例は、
前記内容物がバナナであることを特徴とする。
【００１３】
本発明の青果包装袋の好ましい例によれば、前記内容物がバナナであるとともに、袋本体部に通気性に優れる開封用通気孔を備えるため、追熟加工と呼ばれる色付け作業をするにあたりガスの置換が促進され好適である。
【００１４】
（５）本発明の青果包装袋の使用方法は、
上述の青果包装袋を用いて、
前記内容物を前記袋本体部に入れたときは、前記袋本体部が膨らむことによって前記摘まみ部が開いて通気性を有し、
開封時は、前記摘まみ部を摘まんで引っ張ることによって前記袋本体部を引裂いて開封することを特徴とする。
【００１５】
本発明の青果包装袋の使用方法によれば、上述の本発明の青果包装袋と同様の作用効果を奏することができる。
【発明の効果】
【００１６】
上述したように、本発明の青果包装袋、及び青果包装袋の使用方法によれば、袋本体部に開封用通気孔を設けることで、引張り強度に優れ、流通時等においては意図しない開封を防止できるとともに、開封時は容易に開封することができ、さらに、青果物に必要な通気性を有することができる。
【図面の簡単な説明】
【００１７】
【図１】本発明の一実施形態に係る青果包装袋の正面図である。
【図２】図１における開封用通気孔の拡大図である。
【図３】開封用通気孔の他の実施形態を説明する図である。
【図４】青果包装袋にバナナを詰めた図である。
【図５】図４における開封用通気孔の拡大図である。
【図６】従来の包装袋を示す図である。
【発明を実施するための形態】
【００１８】
以下、本発明の青果包装袋１及び青果包装袋１の使用方法の実施の形態について、添付図面を参照して詳細に説明する。ここで、本発明に係る青果包装袋１の使用方法は、本発明に係る青果包装袋１を用いて実施される。なお、実施の形態では、例としてバナナ３０を包装するための青果包装袋１を説明するが（図４参照）、内容物としてはバナナ３０に限られず、他の果物、野菜を用いることもできる。
【００１９】
図１に示すように、本実施形態の青果包装袋１は、袋本体部１０と、通気孔１５と、開封用通気孔２０ａとを備える。袋本体部１０は、合成樹脂を原料として筒状に形成されたフィルムで構成され、開口部１１と、側辺部１２，１３と、底辺部１４とを備える。この開口部１１を指で摘まむ等して広げることで、バナナ３０等の青果物を入れることができる。側辺部１２，１３は、筒状の袋本体部１０を平らにするために折曲げられた部分であり、左右それぞれに設けられる。底辺部１４は、バナナ３０の湾曲に合わせて左右非対処の曲線をなし、筒状のフィルムをヒートシール等で接着して閉じることで構成されている。なお、図１は青果包装袋１の正面図を示しているが、上記のように、青果包装袋１は筒状のフィルムを左右の側辺部１２，１３で折曲げることによって平らな状態にしているため、背面図は左右対称に現れる。
【００２０】
袋本体部１０の材質としては、合成樹脂のフィルムが使用されるが、ポリプロピレンフィルムが好ましく、インフレーションポリプロピレンフィルム又はオリエンテッドポリプロピレンフィルムがより好ましい。これは、インフレーションポリプロピレンフィルムは、一般に押出し成形によって製造されるところ、その押出し方向と平行する方向に引裂きの方向性を有するため、袋本体部１０の開封がし易くなるからである。また、オリエンテッドポリプロピレンフィルムでは、その延伸される方向に引裂きの方向性を有するため、同様に袋本体部１０の開封がし易くなるからである。なお、袋本体部１０の材質としては、合成樹脂以外にも紙等を採用することもできる。
【００２１】
通気孔１５は、青果包装袋１の内容物である青果物から出される水分、ガス等を青果包装袋１の外に排出するとともに、新鮮な空気を取り入れるためのもので、本実施形態では複数の通気孔１５が設けられている。
【００２２】
開封用通気孔２０ａは、図２（Ａ）にも示すように、上記の通気孔１５の少なくとも一部に代えて、又は通気孔１５とは関係なく独立して設けられるものであり、繋ぎ部２１ａと摘まみ部２２ａとを備える。繋ぎ部２１ａは、袋本体部１０に設けられた孔２４ａの周辺の一部を残したものである。摘まみ部２２ａは、袋本体部１０の切除されない部分であり、繋ぎ部２１ａによって袋本体部１０に接続されている。本実施形態の青果包装袋１では、円弧状の刃物を用いて袋本体部１０に切れ目２３ａを入れて、孔２４ａ、繋ぎ部２１ａ、及び摘まみ部２２ａを形成している。
【００２３】
この開封用通気孔２０ａの孔２４ａと繋ぎ部２１ａとの方向（図中矢印ａ）は、袋本体部１０を構成するポリプロピレンフィルムの引き裂きの方向性と同じとしている。このため、摘まみ部２２ａを持って図の下方向に引っ張ったときに、袋本体部１０がきれいに引裂かれる。
【００２４】
また、摘まみ部２２ａは、図１に示すような、青果包装袋１を平らな状態にしているときには、孔２４ａを塞いでいる。一方、青果包装袋１に内容物を入れると、袋本体部１０が膨らむとともに張力が加えられることによって、摘まみ部２２ａは開かれる（図４参照）。
【００２５】
次に、開封用通気孔２０ａの詳細を説明する。図２（Ｂ）に示すように、開封用通気孔２０ａを形成するための切れ目２３ａの円弧の角度θは、１２０〜３００度が好ましく、１８０〜２４０度がより好ましい。これは、角度θの角度が小さすぎると、摘まみ部２２ａの大きさが小さくなって摘まみにくくなるとともに、後述する内容物を袋本体部１０に入れたときの通気性を確保しづらくなるからである。一方、角度θが大きすぎると、繋ぎ部２１ａが小さくなり摘まみ部２２ａを持って引っ張るときにすぐに千切れてしまい、袋本体部１０を開封しづらくなるからである。
【００２６】
また、開封用通気孔２０ａの径φの大きさであるが、６〜２０ｍｍが好ましく、１０〜１５ｍｍがより好ましい。これは、径φの大きさが小さすぎると、摘まみ部２２ａの大きさが小さくなって摘まみにくくなるとともに、後述する内容物を袋本体部１０に入れたときの通気性を確保しづらくなるからである。一方、径φが大きすぎると、虫等の異物が袋本体部１０の内部に入りやすくなるとともに、内容物の種類によっては開封用通気孔２０ａからこぼれてしまうからである。
【００２７】
次に、図３（Ａ）（Ｂ）を参照して、開封用通気孔の他の実施形態を説明する。開封用通気孔の他の形態として、切れ目２３ｂ，２３ｃをコ字状、Ｖ字状として、摘まみ部２２ｂ．２２ｃと繋ぎ部２１ｂ，２１ｃを形成した開封用通気孔２０ｂ，２０ｃも採用することができる。
【００２８】
さらに、図３（Ｃ）（Ｄ）に示すように、開封用通気孔２０ｄ，２０ｅを複数隣接させ、切れ目２３ｄ，２３ｅを繋げることでそれぞれの摘まみ部２２ｄ，２２ｅの一部を隣り合わせるとともに、繋ぎ部２１ｄ，２１ｅを互いに離すこともできる。このようにすることで、それぞれの開封用通気孔２０ｄ，２０ｅにおける孔２４ｄ，２５と繋ぎ部２１ｄ，２１ｅの方向（図中矢印ａ〜ｄ）を変えて、摘まみ部２２ｄ，２２ｅを多方向に引っ張ることができるようになる。また、図３（Ｄ）に示す形態では、切れ目２３ｅが交差することで、その交差した間には摘まみ部２２ｅがなく常に開口された孔２５が設けられる。
【００２９】
なお、図３（Ｃ）（Ｄ）に示す形態では、それぞれの開封用通気孔２０ｄ，２０ｅにおける孔２４ｄ，２５と繋ぎ部２１ｄ，２１ｅの方向を反対方向として１８０度変えているが（図中矢印ａ〜ｄ）、例えば開封用通気孔２０ｄ，２０ｅを３つないし４つ隣接させ、それぞれの開封用通気孔２０ｄ，２０ｅにおける孔２４ｄ，２５と繋ぎ部２１ｄ，２１ｅの方向を１２０度又は９０度等に変えることもできる。
【００３０】
次に、図４及び図５を参照しながら、上述の青果包装袋１の構成を踏まえ、青果包装袋１の使用方法について説明する。
【００３１】
先ず、図４に示すように、青果包装袋１（図１参照）の開口部１１を広げ、バナナ３０をその果柄部３１から先に袋本体部１０に入れる。そして、袋本体部１０の底辺部１４の曲線にバナナ３０の果実の湾曲を合わせるようにバナナ３０の向きを調整し、粘着テープ１６等で袋本体部１０の開口部１１に近い部分を閉じる。
【００３２】
このとき、袋本体部１０にバナナ３０が入れられることによって、袋本体部１０が膨らむとともに、袋本体部１０に張力が加えられる。すると、図５に示すように、摘まみ部２２ａが捲れて孔２４ａが開き、開封用通気孔２０ａが通気性を有するようになる。ここで、何らかの外力を加えない限りは、摘まみ部２２ａが大きく開くことはなく、孔２４ａに不完全ながら蓋をしているような状態となる。このため、虫等の異物が袋本体部１０の内部に入り込みにくくなる。一方、半ば開かれた孔２４ａを通じて通気性は確保されており、エチレンガスを用いるバナナ３０の追熟加工は問題なく行なうことができる。
【００３３】
次に、青果包装袋１を開封するときは、捲れて開かれた摘まみ部２２ａを摘まんで、図４の略下方向に引っ張る。すると、摘まみ部２２ａを引っ張る方向と、袋本体部１０のポリプロピレンフィルムの引き裂き方向が合っているため、粘着テープ１６付近まで袋本体部１０が引裂かれ、内容物であるバナナ３０を容易に取り出すことができる。
【００３４】
以上、説明したように、本実施形態の青果包装袋及び青果包装袋の使用方法によれば、開封するための手段として、ミシン目等の線状のものではなく、開封用通気孔を採用しているため、袋本体部が強度に優れ、内容物の梱包作業時、輸送時、購入後の不用意な扱い等による意図しない開封を防止することができる。
【００３５】
また、袋本体部が強度に優れながらも、開封するための手段として、摘まみ部と繋ぎ部を備える開封用通気孔を設けているため、摘まみ部を摘まんで引っ張るだけで青果包装袋を開封することができ、筋力の弱い高齢者や幼児等においても容易に開封することができる。特に、開封用通気孔を構成する孔と繋ぎ部の方向が、ポリプロピレンフィルムの引き裂き方向と合っているため、繋ぎ部を引っ張ると、袋本体部の端まで袋本体部を引裂くことができ、内容物を容易に取り出すことができる。また、摘まみ部は、袋本体部に内容物を入れることで自然に捲れて開かれた状態となる。このため、摘まみ部を爪で引っ掻く等の動作が不要であり、摘まみ部が持ちやすく、開封がしやすい。
【００３６】
また、青果包装袋に内容物を入れるだけで、袋本体部が膨らむとともに、袋本体部に加わる張力によって、摘まみ部が自然に開く。これによって、バナナ等の青果物に必要な通気性を確保することができるとともに、故意の外力を加えない限りは摘まみ部が大きく開かずに半ば蓋をしているような状態となるため、虫等の異物の混入を防止することができる。
【００３７】
また、開封用通気孔を複数設け、隣接させた形態では、異なる方向に摘まみ部を引っ張ることができ、袋本体部の開封のバリエーションを増加させることができる。さらに、開封用通気孔の切れ目を交差させた形態では、摘まみ部が開かなくとも孔が開口しており、通気性に優れる。
【００３８】
また、開封用通気孔は、袋本体部に複数設けられた通常の通気孔の一部を置き換えているため、製造時に通気孔を抜く刃の一部を開封用通気孔用の刃物に交換するだけでよく、袋本体部に別途ミシン目等を入れるための工程が不要である。このため、製造装置や工程の変更が殆どなく、製造コストの増大を抑えることができる。
【００３９】
なお、上述の青果包装袋及び青果包装袋の使用方法は、本発明の例示であり、発明の趣旨を逸脱しない範囲において、その構成を適宜変更することができる。例えば、袋本体部の通気孔のうち、任意の数を開封用通気孔に置き換えることができる。また、本来の通気孔とは関係ない位置に、開封用通気孔を設けることもできる。
【符号の説明】
【００４０】
１・・青果包装袋、
１０・・袋本体部、１１・・開口部、１２，１３・・側辺部、１４・・底辺部、１５・・通気孔、１６・・粘着テープ、
２０ａ，２０ｂ，２０ｃ，２０ｄ，２０ｅ・・開封用通気孔、２１ａ，２１ｂ，２１ｃ，２１ｄ，２１ｅ・・繋ぎ部、２２ａ，２２ｂ，２２ｃ，２２ｄ，２２ｅ・・摘まみ部、２３ａ，２３ｂ，２３ｃ，２３ｄ，２３ｅ・・切れ目、２４ａ，２４ｄ，２５・・孔、
３０・・バナナ、３１・・果柄部、
１００・・包装用袋体（従来技術）、１０１・・開封手段（従来技術）、
【図１】
2019147595.tif 000003
【図２】
2019147595.tif 000004
【図３】
2019147595.tif 000005
【図４】
2019147595.tif 000006
【図５】
2019147595.tif 000007
【図６】
2019147595.tif 000008